(57)【要約】【課題】  足場と外壁部とを互いに対向させて水平方向に相対移動可能に設けてある建築用足場でありながら、大量の足場用資材を特に使用したり、外壁部に沿って足場設置用の広いスペースを特に確保する必要なく、風荷重などによる足場の外壁部に対する遠近方向への転倒を確実に防止できるようにする。【解決手段】  足場２を建築物Ｂの外壁部１に対向させて設けてある建築用足場であって、足場と外壁部とを、互いに対向させた姿勢で、水平方向に相対移動可能に設け、足場と外壁部とを足場の外壁部に対する遠近方向への倒れを阻止可能に係合する係合機構７を、足場と外壁部との相対移動方向に沿ってその相対移動を許容するように設けてある。【選択図】        図１
2005146693.tif 000002
【特許請求の範囲】
【請求項１】
足場を建築物の外壁部に対向させて設けてある建築用足場であって、
前記足場と前記外壁部とを、互いに対向させた姿勢で、水平方向に相対移動可能に設け、
前記足場と前記外壁部とを前記足場の前記外壁部に対する遠近方向への倒れを阻止可能に係合する係合機構を、前記足場と前記外壁部との相対移動方向に沿ってその相対移動を許容するように設けてある建築用足場。
【請求項２】
前記足場と前記外壁部との一方に、ガイドレールを前記相対移動方向に沿わせて固定し、前記足場と前記外壁部との他方に、前記ガイドレールに係合する係合部材を固定して、前記係合機構を構成してある請求項１記載の建築用足場。
【請求項３】
前記ガイドレールを前記足場に固定し、前記係合部材を前記外壁部に着脱自在に固定してある請求項２記載の建築用足場。
【請求項４】
前記ガイドレールと前記係合部材とを遊びを設けて係合させてある請求項２又は３記載の建築用足場。
【請求項５】
前記係合部材を、前記ガイドレールに沿って転動可能に係合するローラを設けて構成してある請求項２〜４のいずれか１項記載の建築用足場。
【発明の詳細な説明】
【技術分野】
【０００１】
本発明は、足場を建築物の外壁部に対向させて設けてある建築用足場に関する。
【背景技術】
【０００２】
従来の建築用足場は、建築物に対する相対位置が移動しないように足場を設けてあるので（例えば、特許文献１〜４参照）、足場を建築物の外壁部に対向させて設けてある建築用足場では、風荷重などによる足場の外壁部に対する遠近方向への転倒を確実に防止できるように、足場を建築物側にも一体固定している。
【０００３】
【特許文献１】特許第２９５５２５１号公報
【特許文献２】特公平６−５８００８号公報
【特許文献３】特開平９−３１０４８１号公報
【特許文献４】特開平１０−１８５８２号公報
【発明の開示】
【発明が解決しようとする課題】
【０００４】
このため、例えば、建築物を足場に対して水平方向に移動させながら施工する、所謂、トラベリング工法などのように、足場と外壁部とを互いに対向させて水平方向に相対移動可能に設けてある建築用足場では、足場を建築物側に一体固定できないので、高さが高くなるほど転倒モーメントが大きい大型の足場を設けたり、足場を支える支柱などの転倒防止用構造物を別途設置したりして、風荷重などによる足場の外壁部に対する遠近方向への転倒を確実に防止する必要があり、大量の足場用資材が必要になったり、外壁部に沿って足場設置用の広いスペースを確保する必要があるという欠点がある。
本発明は上記実情に鑑みてなされたものであって、足場と外壁部とを互いに対向させて水平方向に相対移動可能に設けてある建築用足場でありながら、大量の足場用資材を特に使用したり、外壁部に沿って足場設置用の広いスペースを特に確保する必要なく、風荷重などによる足場の外壁部に対する遠近方向への転倒を確実に防止できるようにすることを目的とする。
【課題を解決するための手段】
【０００５】
本発明の第１特徴構成は、足場を建築物の外壁部に対向させて設けてある建築用足場であって、前記足場と前記外壁部とを、互いに対向させた姿勢で、水平方向に相対移動可能に設け、前記足場と前記外壁部とを前記足場の前記外壁部に対する遠近方向への倒れを阻止可能に係合する係合機構を、前記足場と前記外壁部との相対移動方向に沿ってその相対移動を許容するように設けてある点にある。
【０００６】
〔作用及び効果〕
足場と外壁部とを互いに固定することなく、足場と外壁部とを、互いに対向させた姿勢で、水平方向に相対移動可能に設け、その足場と外壁部とを足場の外壁部に対する遠近方向への倒れを阻止可能に係合する係合機構を、足場と外壁部との相対移動方向に沿ってその相対移動を許容するように設けてあるので、足場と外壁部とを互いに対向させて水平方向に相対移動可能に設けてある建築用足場でありながら、大量の足場用資材を特に使用したり、外壁部に沿って足場設置用の広いスペースを特に確保する必要なく、足場を外壁部に支持させて、風荷重などによる足場の外壁部に対する遠近方向への転倒を確実に防止できる。
【０００７】
本発明の第２特徴構成は、前記足場と前記外壁部との一方に、ガイドレールを前記相対移動方向に沿わせて固定し、前記足場と前記外壁部との他方に、前記ガイドレールに係合する係合部材を固定して、前記係合機構を構成してある点にある。
【０００８】
〔作用及び効果〕
足場と外壁部とを足場の外壁部に対する遠近方向への倒れを阻止可能に係合する係合機構を、足場と外壁部との一方に相対移動方向に沿わせて固定したガイドレールに、足場と外壁部との他方に固定した係合部材を係合させて構成して、足場と外壁部との相対移動方向に沿ってその相対移動を許容するように設けてあるので、ガイドレールの長さを選択することによって、足場の倒れを阻止しながら、所望の距離に亘って相対移動を許容できるように係合させ易い。
【０００９】
本発明の第３特徴構成は、前記ガイドレールを前記足場に固定し、前記係合部材を前記外壁部に着脱自在に固定してある点にある。
【００１０】
〔作用及び効果〕
ガイドレールを足場に固定し、係合部材を外壁部に着脱自在に固定してあるので、足場をガイドレールで補強できるとともに、外壁部の相対移動方向に沿う長さが、足場の相対移動方向に沿う長さに比べて長い場合は、足場に対向しない位置に相対移動した外壁部分に固定してある係合部材を、足場に対向する位置に相対移動する外壁部分に付け替えることにより、特に長いガイドレールを設けることなく、足場の倒れを阻止しながら、所望の距離に亘って相対移動を許容できるように簡便に係合させ易い。
【００１１】
本発明の第４特徴構成は、前記ガイドレールと前記係合部材とを遊びを設けて係合させてある点にある。
【００１２】
〔作用及び効果〕
ガイドレールと係合部材との係合部とを遊びを設けて係合させてあるので、足場の倒れを阻止しながら、足場と外壁部とを円滑に相対移動させ易いとともに、ガイドレールと係合部材とを、特に高い精度を要することなく、簡便に取り付けることができる。
【００１３】
本発明の第５特徴構成は、前記係合部材を、前記ガイドレールに沿って転動可能に係合するローラを設けて構成してある点にある。
【００１４】
〔作用及び効果〕
係合部材を、ガイドレールに沿って転動可能に係合するローラを設けて構成してあるので、係合部材とガイドレールとの摩擦抵抗を軽減して、足場と外壁部とを容易に相対移動させることができる。
【発明を実施するための最良の形態】
【００１５】
以下に本発明の実施の形態を図面に基づいて説明する。
〔第１実施形態〕
図１，図２は、建屋を構築するために建築中（組み立て中）の略一定長さの建屋ユニット（建築物の一例）Ｂと、その建屋ユニットＢの外壁部１に対向させて足場２を設けてある本発明による建築用足場Ａとを示す。
【００１６】
前記建屋ユニットＢは、組み立てヤードＣの所定位置において建屋ユニットＢの柱や梁などを組み立てたあと、その建屋骨組み３をチルタンク４に載せて仕上げヤードＤに移動させ、その仕上げヤードＤの所定位置において屋根材や壁材を取り付けて完成させるもので、組み立てヤードＣにおいて、先行して完成させた完成建屋ユニットＢ１に柱や梁などを連結して建屋骨組み３を組み立て、完成建屋ユニットＢ１を仕上げヤードＤから建屋設置場所に向けて送り出しながら、後続建屋ユニットＢ２の建屋骨組み３を仕上げヤードＤに移動させて建屋ユニットＢを完成させるトラベリング工法で、複数の建屋ユニットＢを連結してなる建屋を建屋設置場所に設置できるように構成してある。
【００１７】
前記足場２は、パイプ製の足場資材５を組み立てて構成したもので、組み立てヤードＣ及び仕上げヤードＤの建屋移動方向Ｅに沿う左右両脇に、建屋ユニットＢの屋根６近くに至る高さ（本実施形態では約３０ｍ）で外壁部１に対向するように設置して、チルタンク４に載せて移動する完成建屋ユニットＢ１及び組み立て中の建屋ユニットＢ２に対して相対移動可能に設けてある。
【００１８】
尚、図１，図２では、組み立てヤードＣ及び仕上げヤードＤの建屋移動方向Ｅに沿う一側脇に設置してある足場２のみを示している。
【００１９】
そして、足場２と外壁部１とを足場２の外壁部１に対する遠近方向への倒れを阻止可能に係合する係合機構７を、足場２と外壁部１との相対移動方向に沿ってその相対移動を許容するように、上下複数箇所に設けてある。
【００２０】
前記係合機構７は、図３，図４に示すように、建屋移動方向Ｅに沿わせて足場２に略水平に着脱自在に固定してあるガイドレール８に、外壁部１に着脱自在に固定した複数の係合部材９を係合させて構成してある。
【００２１】
前記ガイドレール８は、鋼製溝形材１０の二本を、両溝形材１０の間に一連の隙間が形成されるように溝側を上下方向から互いに対向させた状態で、ベース板１１に固定して構成してあり、クランプ金具１２で足場資材５に略水平に着脱自在に固定してある。
【００２２】
前記係合部材９の各々は、両溝形材１０に亘って係合する周溝１３を備えていて、両溝形材１０間の隙間に沿って転動可能に係合する金属製或いは樹脂製の遊転ローラを設けて構成してあり、この遊転ローラ９をローラ支持フレーム１４に回転自在に、かつ、回転軸芯Ｘ方向の位置を調節自在に支持して、建屋骨組み３の外壁部１に略水平に組み付けてある素屋根梁１５に対して着脱自在に設けてある。
【００２３】
前記ローラ支持フレーム１４は、遊転ローラ９をアーム長手方向に沿う軸芯Ｘ周りで回転自在に支持する支持アーム１６に、支持アーム１６の水平方向の倒れを防止する補助アーム１７を溶接などで斜めに固定して構成してあり、遊転ローラ９の周溝１３が両溝形材１０に亘って、軸芯Ｘ方向にも上下方向にも遊びがある状態で係合するように、補助アーム１７が建屋移動方向Ｅの前方側に位置し、かつ、支持アーム１６が建屋移動方向Ｅに直交する方向に向けて略水平に突出する姿勢で、支持アーム１６と補助アーム１７との各々をブルマン１８で素屋根梁１５に着脱自在に固定してある。
【００２４】
前記建屋ユニットＢに遊転ローラ９を固定してガイドレール８に係合させる方法を説明する。
図５（イ）は、仕上げヤードＤの所定位置で完成させた完成建屋ユニットＢ１に、組み立てヤードＣの所定位置で組み立てが完了した後続建屋ユニットＢ２の建屋骨組み３を連結してある状態を示し、足場２に固定したブラケット足場１９を使用して、後続建屋ユニットＢ２の素屋根梁１５の建屋移動方向前方側に、遊転ローラ８の周溝１３が両溝形材１０に亘って係合するように、ローラ支持フレーム１４を固定する。
【００２５】
次に、牽引ワイヤやジャッキなどを使用して、後続建屋ユニットＢ２の素屋根梁１５の建屋移動方向中間部がブラケット足場１９の近くに位置するまで、建屋骨組み３を仕上げヤードＤ側に移動させるとともに、完成建屋ユニットＢ１を仕上げヤードＤから送り出し、図５（ロ）に示すように、素屋根梁１５の建屋移動方向中間部に、遊転ローラ８の周溝１３が両溝形材１０に亘って係合するように、ローラ支持フレーム１４を固定する。
【００２６】
次に、後続建屋ユニットＢ２の素屋根梁１５の建屋移動方向後端側がブラケット足場１９の近くに位置するまで、建屋骨組み３を仕上げヤードＤ側に更に移動させるとともに、完成建屋ユニットＢ１を仕上げヤードＤから更に送り出し、図５（ハ）に示すように、素屋根梁１５の建屋移動方向後端側に、遊転ローラ９の周溝１３が両溝形材１０に亘って係合するように、ローラ支持フレーム１４（１４ａ）を固定する。
【００２７】
次に、後続建屋ユニットＢ２の建屋骨組み３の全体が仕上げヤードＤの所定位置に位置するまで、建屋骨組み３を仕上げヤードＤ側に更に移動させるとともに、完成建屋ユニットＢ１を仕上げヤードＤから更に送り出し、組み立てヤードＣにおいて更に後続する後続建屋ユニットＢ３の建屋骨組み３の組み立てが完了すると、図５（ニ）に示すように、後続建屋ユニットＢ２の素屋根梁１５の建屋移動方向後端側に固定してあるローラ支持フレーム１４ａを外して、そのローラ支持フレーム１４ａを、後続建屋ユニットＢ３の建屋骨組み３の素屋根梁１５の建屋移動方向前方側に、遊転ローラ９の周溝１３が両溝形材１０に亘って係合するように固定する。
【００２８】
また、仕上げヤードＤから送り出された完成建屋ユニットＢ１に固定してあるローラ支持フレーム１４は、遊転ローラ９のガイドレール８との係合が外れると、適宜、素屋根梁１５から外して、後続建屋ユニットＢ３の建屋骨組み３に固定して、繰り返し使用できるようにしてある。
【００２９】
〔その他の実施形態〕
１．本発明による建築用足場は、足場を固定の外壁部に対して移動可能に設けてあっても良い。
２．本発明による建築用足場は、足場と外壁部との夫々を、互いに対向させた姿勢で、各別に移動可能に設けてあっても良い。
３．本発明による建築用足場は、外壁部にガイドレールを固定し、そのガイドレール係合する係合部材を足場に固定して、係合機構を構成してあっても良い。
４．本発明による建築用足場は、ガイドレールに沿って摺接移動可能な係合部材を設けて、係合機構を構成してあっても良い。
５．本発明による建築用足場は、足場を建築中の建築物の外壁部に対向させて設けてあっても、建築物のメンテナンスなどのために、足場を建築後の建築物の外壁部に対向させて設けてあっても良い。
【図面の簡単な説明】
【００３０】
【図１】建築用足場を示す側面図
【図２】建築用足場を示す正面図
【図３】要部の平面図
【図４】要部の側面図
【図５】遊転ローラをガイドレールに係合させる方法を示す平面図
【符号の説明】
【００３１】
１  外壁部
２  足場
７  係合機構
８  ガイドレール
９  係合部材（ローラ）
Ｂ  建築物
【図１】
2005146693.tif 000003
【図２】
2005146693.tif 000004
【図３】
2005146693.tif 000005
【図４】
2005146693.tif 000006
【図５】
2005146693.tif 000007